(57)【要約】【課題】ユーザーの操作の煩雑さを解消することができ、かつ、容易にユーザーの要望する印刷を行うことができる印刷システムを提供する。【解決手段】印刷システムは、インターネットに接続可能な印刷装置と、インターネットに接続可能であって、印刷装置と通信可能な携帯端末装置とを含む。印刷装置は、表示制御部３１と、編集受け付け部３２と、印刷対象特定部３３と、印刷制御部３４とを備える。表示制御部３１は、受信部により受信したＵＲＬデータおよび印刷対象ページのデータに基づいて印刷対象ページを表示画面に表示するよう制御する。編集受け付け部３２は、表示画面に表示された印刷対象ページから、ユーザーによる印刷対象の編集を受け付ける。印刷対象特定部３３は、編集受け付け部３２により受け付けられた編集された印刷対象を特定する。印刷制御部３４は、印刷対象特定部３３により特定された印刷対象に対して印刷部による印刷を行うよう制御する。【選択図】図４
2017217893.tif 000002
【特許請求の範囲】
【請求項１】
インターネットに接続可能な印刷装置と、インターネットに接続可能であって、前記印刷装置と通信可能な携帯端末装置とを含む印刷システムであって、
前記携帯端末装置は、
前記携帯端末装置の情報を表示すると共に、入力のインターフェースとなるタッチパネルと、
インターネットにアクセスするための携帯端末装置ネットワークインターフェース部と、
印刷を対象となるページである印刷対象ページのデータの入力を受け付ける印刷対象ページ入力受け付け部と、
インターネットにアクセスするＵＲＬ（Ｕｎｉｆｏｒｍ  Ｒｅｓｏｕｒｃｅ  Ｌａｎｇｕａｇｅ）データおよび前記印刷対象ページのデータを前記印刷装置に送信する送信部とを備え、
前記印刷装置は、
画像を形成して用紙に印刷する印刷部と、
前記印刷装置の情報を表示すると共に、入力のインターフェースとなる表示画面と、
前記送信部から送信される前記ＵＲＬデータおよび前記印刷対象ページのデータを受信する受信部と、
インターネットにアクセスするための印刷装置ネットワークインターフェース部と、
前記受信部により受信した前記ＵＲＬデータおよび前記印刷対象ページのデータに基づいて前記印刷対象ページを前記表示画面に表示するよう制御する表示制御部と、
前記表示画面に表示された前記印刷対象ページから、ユーザーによる印刷対象の編集を受け付ける編集受け付け部と、
前記編集受け付け部により受け付けられた編集された前記印刷対象を特定する印刷対象特定部と、
前記印刷対象特定部により特定された前記印刷対象に対して前記印刷部による印刷を行うよう制御する印刷制御部とを備える、印刷システム。
【請求項２】
前記表示制御部は、前記ウェブページのページ番号を前記表示画面に表示するよう制御し、
前記印刷対象特定部は、前記印刷対象受け付け部により前記表示画面に表示された前記ウェブページの前記ページ番号の指定を受け付ければ、前記ページ番号に対応するページを印刷対象として特定する、請求項１に記載の印刷システム。
【請求項３】
前記編集受け付け部は、指定された領域を印刷除外領域として印刷対象から除外する、請求項１または２に記載の印刷システム。
【請求項４】
前記編集受け付け部は、前記印刷除外領域に対応する領域が他の前記印刷対象ページにあれば、その領域も印刷除外領域として指定する、請求項３に記載の印刷システム。
【請求項５】
前記表示画面は、タッチパネル型式であり、
前記編集受け付け部は、前記表示画面に表示された所定の領域へのタッチ操作により前記印刷除外領域の指定を受け付ける、請求項３または４に記載の印刷システム。
【請求項６】
前記編集受け付け部は、所定の操作により、指定された前記印刷除外領域を白色で印刷するよう制御する、請求項３〜５のいずれか１項に記載の印刷システム。
【請求項７】
前記タッチパネルは、ウェブページのページ番号を表示し、
前記印刷対象ページ受け付け部は、前記タッチパネルに表示された前記ページ番号に対するピンチ操作により入力可能である、請求項１〜６のいずれか１項に記載の印刷システム。
【請求項８】
インターネットに接続可能な印刷装置であって、
画像を形成して用紙に印刷する印刷部と、
前記印刷装置の情報を表示すると共に、入力のインターフェースとなる表示画面と、
外部装置から送信されたインターネットにアクセスするＵＲＬデータおよび印刷の対象となるページである印刷対象ページのデータを受信する受信部と、
インターネットにアクセスするための印刷装置ネットワークインターフェース部と、
前記受信部により受信した前記ＵＲＬデータおよび前記印刷対象ページのデータに基づいて前記印刷対象ページを前記表示画面に表示するよう制御する表示制御部と、
前記表示画面に表示された前記印刷対象ページから、ユーザーによる印刷対象の編集を受け付ける編集受け付け部と、
前記編集受け付け部により受け付けられた前記印刷対象を特定する印刷対象特定部と、
前記印刷対象特定部により特定された前記印刷対象に対して前記印刷部による印刷を行うよう制御する印刷制御部とを備える、印刷装置。
【発明の詳細な説明】
【技術分野】
【０００１】
この発明は、印刷システム、および印刷装置に関するものである。
【背景技術】
【０００２】
複合機に代表される印刷装置においては、感光体に対して画像データを基に光を照射し、感光体上に静電潜像を形成する。その後、形成した静電潜像の上に帯電したトナーを供給して可視画像とする。そして、用紙にトナーを転写した後、用紙にトナーを定着させる。トナーが定着された用紙は、装置外に排出される。
【０００３】
画像データについては、印刷装置は、ネットワークを介して接続されたコンピューターから受信したり、インターネット経由で取得したりする。また、印刷装置と通信可能な携帯端末装置から、印刷要求と共に画像データを受信する場合もある。ここで、インターネットにアクセスし、ウェブページを表示可能な画像形成装置に関する技術が、特開２００６−８５３７６号公報（特許文献１）に開示されている。
【０００４】
特許文献１に開示の画像形成装置は、閲覧した複数のウェブページのＵＲＬ（Ｕｎｉｆｏｒｍ  Ｒｅｓｏｕｒｃｅ  Ｌｏｃａｔｏｒ）情報を記録するＵＲＬ記録手段と、ＵＲＬ記録手段に記録されたＵＲＬ情報に応じた複数のウェブページを取得するページ取得手段と、取得した複数のウェブページデータを結合するページ結合手段と、結合されたページを印刷する印刷手段とを備えることを特徴としている。
【先行技術文献】
【特許文献】
【０００５】
【特許文献１】特開２００６−８５３７６号公報
【発明の概要】
【発明が解決しようとする課題】
【０００６】
携帯端末装置を用いてインターネットにアクセスし、印刷を要望するウェブページを指定して、携帯端末装置と通信可能な印刷装置に印刷命令を行う場合がある。このような場合において、携帯端末装置に備えられるタッチパネルは比較的小さいため、印刷を要望するウェブページを効率的に指定するのが困難な場合がある。特に、複数のページに亘って印刷を要望する場合には、対応するウェブページを１ページずつ印刷対象として指定して印刷装置に印刷要求をする必要がある。この場合、携帯端末装置のタッチパネルをタップしてＵＲＬをジャンプしてページをめくる際に、表示が遅くなったりして、ユーザーの操作が煩雑になってしまう。
【０００７】
さらに、印刷を要望するページの中にバナー広告等、印刷をしたくない領域があった場合、印刷を要望するページを表示させ、その領域を避けて印刷対象を特定する必要がある。このような場合、携帯端末装置に備えられるタッチパネルの画面では、さらなる操作の煩雑さを招くこととなっていた。
【０００８】
特許文献１に開示の技術は、単に取得したウェブページデータを結合し、結合されたページを印刷することとしているものであり、上記した場合に対応することができない。
【０００９】
この発明の目的は、ユーザーの操作の煩雑さを解消することができ、かつ、容易にユーザーの要望する印刷を行うことができる印刷システムを提供することである。
【００１０】
この発明の他の目的は、ユーザーの操作の煩雑さを解消することができ、かつ、容易にユーザーの要望する印刷を行うことができる印刷装置を提供することである。
【課題を解決するための手段】
【００１１】
この発明の一の局面においては、印刷システムは、インターネットに接続可能な印刷装置と、インターネットに接続可能であって、印刷装置と通信可能な携帯端末装置とを含む。携帯端末装置は、タッチパネルと、インターネットにアクセスするための携帯端末装置ネットワークインターフェース部と、印刷対象ページ受け付け部と、送信部とを備える。タッチパネルは、携帯端末装置の情報を表示すると共に、入力のインターフェースとなる。印刷対象ページ入力受け付け部は、印刷の対象となるページである印刷対象ページのデータの入力を受け付ける。送信部は、インターネットにアクセスするＵＲＬ（Ｕｎｉｆｏｒｍ  Ｒｅｓｏｕｒｃｅ  Ｌａｎｇｕａｇｅ）データおよび印刷対象ページのデータを印刷装置に送信する。印刷装置は、印刷部と、表示画面と、受信部と、インターネットにアクセスするための印刷装置ネットワークインターフェース部と、表示制御部と、編集受け付け部と、印刷対象特定部と、印刷制御部とを備える。印刷部は、画像を形成して用紙に印刷する。表示画面は、印刷装置の情報を表示すると共に、入力のインターフェースとなる。受信部は、送信部から送信されるＵＲＬデータおよび印刷対象ページのデータを受信する。表示制御部は、受信部により受信したＵＲＬデータおよび印刷対象ページのデータに基づいて印刷対象ページを表示画面に表示するよう制御する。編集受け付け部は、表示画面に表示された印刷対象ページから、ユーザーによる印刷対象の編集を受け付ける。印刷対象特定部は、編集受け付け部により受け付けられた編集された印刷対象を特定する。印刷制御部は、印刷対象特定部により特定された印刷対象に対して印刷部による印刷を行うよう制御する。
【００１２】
この発明の他の局面においては、印刷装置は、インターネットに接続可能な印刷装置である。印刷装置は、印刷部と、表示画面と、受信部と、インターネットにアクセスするための印刷装置ネットワークインターフェース部と、表示制御部と、印刷対象受け付け部と、印刷対象特定部と、印刷制御部とを備える。印刷部は、画像を形成して用紙に印刷する。表示画面は、印刷装置の情報を表示すると共に、入力のインターフェースとなる。受信部は、外部装置から送信されたインターネットにアクセスするＵＲＬデータおよび印刷の対象となるページである印刷対象ページのデータを受信する。表示制御部は、受信部により受信したＵＲＬデータおよび印刷対象ページのデータに基づいて印刷対象ページを表示画面に表示するよう制御する。編集受け付け部は、表示画面に表示された印刷対象ページから、ユーザーによる印刷対象の編集を受け付ける。印刷対象特定部は、編集受け付け部により受け付けられた印刷対象を特定する。印刷制御部は、印刷対象特定部により特定された印刷対象に対して印刷部による印刷を行うよう制御する。
【発明の効果】
【００１３】
このような印刷システムによると、携帯端末装置から送信されたＵＲＬデータおよび印刷対象ページのデータを印刷装置で受信し、印刷装置に備えられた表示画面に印刷対象ページを表示する。そして、印刷装置に備えられた表示画面上で印刷対象ページを編集して印刷対象を特定し、印刷することとしている。したがって、携帯端末装置で１ページずつ指定して印刷要求をする必要がなくなる。また、印刷対象ページを編集して、印刷したくない領域を指定して印刷対象を特定する際にも、印刷装置に備えられた表示画面を用いて編集することができる。したがって、このような印刷システムによれば、ユーザーの操作の煩雑さを解消することができ、かつ、容易にユーザーの要望する印刷を行うことができる。
【００１４】
また、このような印刷装置によれば、ユーザーの操作の煩雑さを解消することができ、かつ、容易にユーザーの要望する印刷を行うことができる。
【図面の簡単な説明】
【００１５】
【図１】この発明の一実施形態に係る印刷システムの外観を示す概略図である。
【図２】図１に示す印刷システムの構成を示すブロック図である。
【図３】操作部の構成を示す図である。
【図４】印刷装置制御部の構成を示すブロック図である。
【図５】携帯端末装置を用いて印刷装置に対して印刷を要求する際の処理の流れを示すフローチャートである。
【図６】タッチパネルにウェブページが表示された携帯端末装置を示す概略図である。
【図７】１ページから７ページまでの全てのページを印刷対象ページと指定する場合のタッチパネルの一例を示す図である。
【図８】印刷装置を用いて受信したデータに基づいて印刷を行う場合の処理の流れを示すフローチャートである。
【図９】操作部の表示画面の表示の一例を示す図である。
【図１０】ウェブページの構成を示す概念図である。
【図１１】印刷除外領域を指定した場合のウェブページの構成を示す概念図である。
【図１２】印刷除外領域を白色とした場合のウェブページの構成を示す概念図である。
【発明を実施するための形態】
【００１６】
以下、この発明の実施の形態を説明する。図１は、この発明の一実施形態に係る印刷システムの外観を示す概略図である。図２は、図１に示す印刷システムの構成を示すブロック図である。
【００１７】
図１および図２を参照して、印刷システム２４は、インターネット２３に接続可能な印刷装置１１と、インターネット２３に接続可能であって、印刷装置１１と通信可能な携帯端末装置４１とを含む。携帯端末装置４１は、無線通信により、印刷装置１１と通信可能である。携帯端末装置４１は、通信可能な印刷装置１１に対して印刷の要求を行い、印刷装置１１を利用して印刷を行うことができる。
【００１８】
ここでまず、携帯端末装置４１の構成について説明する。携帯端末装置４１は、携帯端末装置制御部４２と、インターネットにアクセスするための携帯端末装置ネットワークインターフェース部４３と、携帯端末装置記憶部４４と、タッチパネル４５と、携帯端末装置通信部４６とを備える。携帯端末装置制御部４２は、携帯端末装置４１全体の制御を行う。携帯端末装置記憶部４４は、画像データや種々のデータを記憶する。タッチパネル４５は、携帯端末装置４１の情報を表示すると共に、入力のインターフェースとなる。携帯端末装置通信部４６は、外部装置、具体的には、印刷装置１１との接続を行うためのインターフェースである。送信部としての携帯端末装置通信部４６は、インターネットにアクセスするＵＲＬデータおよび印刷対象ページのデータを印刷装置１１に送信する。
【００１９】
また、携帯端末装置制御部４２は、印刷対象ページ入力受け付け部４７を含む。印刷対象ページ入力受け付け部４７は、ユーザーから指定される印刷の対象となるページである印刷対象ページのデータの入力を受け付ける。
【００２０】
次に、印刷装置１１の構成について説明する。印刷装置１１は、印刷装置制御部１２と、操作部１３と、画像読み取り部１４と、印刷部としての画像形成部１５と、給紙カセット１６と、ハードディスク１７と、インターネット２３と接続するための印刷装置ネットワークインターフェース部１８と、印刷装置通信部１９とを備える。
【００２１】
印刷装置制御部１２は、印刷装置１１全体の制御を行う。操作部１３は、印刷装置１１側から発信する情報やユーザーの入力内容を表示する表示画面２１を含む。表示画面２１は、印刷装置１１の情報を表示すると共に、入力のインターフェースとなる。操作部１３は、印刷部数や階調等の画像形成の条件や電源のオンまたはオフをユーザーに入力させる。操作部１３の構成については、後述する。画像読み取り部１４は、セット位置にセットされた原稿を読み取り位置に搬送する原稿搬送装置としてのＡＤＦ（Ａｕｔｏ  Ｄｏｃｕｍｅｎｔ  Ｆｅｅｄｅｒ）２２を含む。画像読み取り部１４は、ＡＤＦ２２または不図示の載置台上にセットされた原稿の画像を読み取る。給紙カセット１６は、複数設けられており、それぞれ複数枚の用紙をそれらの内部に収納可能である。画像形成部１５は、画像読み取り部１４により読み取られた画像データやインターネット２３にアクセスして取得した画像データを基に、給紙カセット１６から搬送されてきた用紙に画像を形成する。ハードディスク１７は、送信された画像データや入力された画像形成条件等の格納を行う。印刷装置通信部１９は、外部装置、具体的には、携帯端末装置４１や不図示のタブレットＰＣとの接続を行うためのインターフェースである。印刷装置１１は、印刷装置通信部１９を通じて、外部装置から通信時に送信された画像データおよび印刷要求の命令を受信する。受信部としての印刷装置通信部１９は、送信部としての携帯端末装置通信部４６から送信されるＵＲＬデータおよび印刷対象ページのデータを受信する。
【００２２】
印刷装置１１は、画像読み取り部１４により読み取られた原稿の画像データを用いて画像形成部１５において画像を形成することにより、複写機として作動する。また、印刷装置１１は、ネットワークに接続されたコンピューター（図示せず）や携帯端末装置４１等から送信された画像データを用いて、画像形成部１５において画像を形成して印刷することにより、プリンターとして作動する。
【００２３】
次に、上記した印刷装置１１に含まれる操作部１３の構成について、さらに詳細に説明する。図３は、操作部１３の概略的な構成を示す外観図である。図３を参照して、操作部１３は、アーム２６を介して、印刷装置１１の側方の上部側に延びるように設けられている。操作部１３は、印刷部数等を入力させるための０〜９までの数字、および「＊」や「＃」の記号をユーザーに入力させるテンキー２７と、印刷の開始やファクシミリ送信の開始を指示させるスタートキーや押下により拡張された機能を選択できる機能選択キー２８とを含む。また、表示画面２１は、液晶のタッチパネル機能を有しており、ユーザーの指での押圧等により、表示画面２１からも画像形成条件等を入力させると共に、機能の選択等を行うことができる。なお、表示画面２１の面積は、上記した携帯端末装置４１に含まれるタッチパネル４５の面積よりもはるかに大きいものである。
【００２４】
次に、印刷装置制御部１２の構成について説明する。図４は、印刷装置制御部１２の構成を示すブロック図である。図４を参照して、印刷装置制御部１２は、表示制御部３１と、編集受け付け部３２と、印刷対象特定部３３と、印刷制御部３４とを備える。表示制御部３１は、受信部により受信したＵＲＬデータおよび印刷対象ページのデータに基づいて印刷対象ページを表示画面２１に表示するよう制御する。編集受け付け部３２は、表示画面２１に表示された印刷対象ページから、ユーザーによる印刷対象の編集を受け付ける。印刷対象特定部３３は、編集受け付け部３２により受け付けられた編集された印刷対象を特定する。印刷制御部３４は、印刷対象特定部３３により特定された印刷対象に対し画像形成部１５による印刷を行うよう制御する。
【００２５】
次に、この発明の一実施形態に係る印刷システム２４により、携帯端末装置４１から送信されたデータを用いて印刷装置１１により印刷を行う場合について説明する。まず、携帯端末装置４１から印刷装置１１に印刷の要求を行う場合について説明する。図５は、携帯端末装置４１を用いて印刷装置１１に対して印刷を要求する際の処理の流れを示すフローチャートである。
【００２６】
図１〜図５を参照して、まず、ユーザーの要望に応じて、携帯端末装置ネットワークインターフェース部４３は、携帯端末装置４１からインターネット２３に接続して、ウェブページへアクセスする（図５において、ステップＳ１１、以下、「ステップ」を省略する）。そして、携帯端末装置制御部４２は、タッチパネル４５にウェブページを表示させる（Ｓ１２）。
【００２７】
図６は、タッチパネル４５にウェブページが表示された携帯端末装置４１を示す概略図である。図６を参照して、タッチパネル４５には、アクセスされたウェブページ５１が表示されている。ウェブページ５１は、複数のページに亘って画像が含まれている。ウェブページ５１のうちの下側の領域においては、他のウェブページへジャンプしてアクセスすることができるページ番号データ５２が表示されている。このページ番号データ５２の位置をユーザーは指でタップすることにより、該当するページのウェブページへジャンプして、タッチパネル４５上に該当するウェブページを表示させることができる。
【００２８】
そして、印刷対象ページ入力受け付け部４７は、ユーザーから指定される印刷の対象となるページである印刷対象ページのデータの入力を受け付ける（Ｓ１３）。この場合、ユーザーは、１ページから７ページまでの全てのページの印刷を要求したとする。
【００２９】
図７は、１ページから７ページまでの全てのページを印刷対象ページと指定する場合のタッチパネル４５の一例を示す図である。図７を参照して、印刷を要望するページ、すなわち、印刷の対象となるページが１ページから７ページに亘る場合、タッチパネル４５のウェブページ５１上において、指５３でピンチ操作を行い、ページ番号データ５２を全て覆うように領域５４を指定する。この指定により、印刷対象ページのデータが入力されたことになる。なお、印刷対象の領域５４については、図７において、ハッチングで示している。
【００３０】
このように指定して入力された領域５４について、印刷対象ページ入力受け付け部４７は、入力を受け付ける。その後、印刷対象ページの追加があれば（Ｓ１４において、ＹＥＳ）、印刷対象ページの追加を行う（Ｓ１５）。そして、携帯端末装置通信部４６は、印刷装置１１、具体的には、印刷装置通信部１９に対してウェブページに対応するＵＲＬデータおよび印刷対象ページのデータを送信する（Ｓ１６）。すなわち、携帯端末装置通信部４６は、この段階において、ＵＲＬデータおよび印刷対象ページとなるページ番号データ５２を送信するのみである。
【００３１】
次に、受信したデータに基づく印刷装置１１における印刷の処理について説明する。図８は、印刷装置１１を用いて受信したデータに基づいて印刷を行う場合の処理の流れを示すフローチャートである。
【００３２】
図８を参照して、印刷装置通信部１９は、携帯端末装置４１からＵＲＬデータおよび印刷対象ページのデータを受信する（Ｓ２１）。そうすると、印刷装置制御部１２は、受信したＵＲＬデータを用いてインターネット２３への接続を行い、該当するＵＲＬのウェブページへアクセスする（Ｓ２２）。そして、表示制御部３１は、該当するＵＲＬのウェブページを表示画面２１に表示するよう制御する（Ｓ２３）。
【００３３】
図９は、操作部１３の表示画面２１の表示の一例を示す図である。図９を参照して、表示画面２１には、ＵＲＬデータを用いてアクセスした際のウェブページ５６ａが、表示制御部３１により表示されている。この表示画面２１は、携帯端末装置４１のタッチパネル４５よりもその面積が大きいため、より広い範囲のウェブページをユーザーは一目で見ることができる。また、ウェブページ内の配置等を理解するのも容易となる。なお、このウェブページ５６ａは、１ページ目の画像であり、中央領域５７ａには、バナー広告１が表示されている。
【００３４】
その後、編集受け付け部３２は、ユーザーによる印刷対象の編集を受け付ける。具体的には、ユーザーによる表示画面２１からの入力により、印刷対象から除外するページの指定を受け付ければ（Ｓ２４において、ＹＥＳ）、指定されたページを印刷対象から除外する（Ｓ２５）。また、印刷しないバナー広告の領域の指定を受け付ければ（Ｓ２６において、ＹＥＳ）、指定されたバナー広告の領域を印刷対象から除外する。
【００３５】
ここで、編集受け付け部３２は、印刷除外領域に対応する領域が他の印刷対象ページにあれば、その領域も印刷除外領域として指定する。これについて、説明する。
【００３６】
図１０は、ウェブページの構成を示す概念図である。図１０を参照して、表示画面２１に表示されるウェブページは、７ページから構成されている。図１０においては、表示画面２１に表示される１ページ目のウェブページ５６ａと、３ページ目のウェブページ５６ｂと、最後のページである７ページ目のウェブページ５６ｃとを図示している。そして、１ページ目のウェブページ５６ａの中央領域５７ａには、いわゆるバナー広告１が表示されている。バナー広告については、複数のページに亘って同じ領域に表示されていることが多い。この場合も、３ページ目のウェブページ５６ｂにおいて、同じ中央領域５７ｂにバナー広告３が表示されている。なお、最終の７ページ目のウェブページ５６ｃには、バナー広告は表示されていない。
【００３７】
ユーザーは、指で表示画面２１上の１ページ目のバナー広告１が位置する中央領域５７ａをタッチして、印刷除外領域を指定する。編集受け付け部３２は、指定された領域を印刷除外領域として印刷対象から除外する。そして、編集受け付け部３２は、印刷除外領域に対応する領域が他の印刷対象ページにあれば、その領域も印刷除外領域として指定する。
【００３８】
図１１は、印刷除外領域を指定した場合のウェブページの構成を示す概念図である。図１１を参照して、１ページ目のウェブページ５６ａの中央領域５７ａをユーザーの指５８によるタッチにより指定されると、編集受け付け部３２は、他のページの同じバナー広告があるか否かを判断し（Ｓ２７）、同じバナー広告があれば（Ｓ２７において、ＹＥＳ）、その領域も印刷除外領域として指定されたと認識する（Ｓ２８）。すなわち、他のページにも指定された印刷除外領域を反映させる。なお、同じ中央領域にバナー広告がないと判断すれば（Ｓ２７）、そのページに対応する中央領域については、印刷除外領域としない（Ｓ２９）。この場合、３ページ目のウェブページ５６ｂの中央領域５７ｂも指定される。もちろん、２ページ目、４〜６ページ目のウェブページについても同様である。なお、最終ページとなる７ページ目については、中央領域にバナー広告は表示されていない。したがって、ウェブページ５６ｃにおいては、印刷除外領域が指定されない。なお、バナー広告の領域があるか否かについては、ウェブから取得した情報に基づいて判断される。
【００３９】
次に、編集受け付け部３２は、印刷除外領域について、再び指５８によるタッチがなされたか否かを判断する（Ｓ３０）。図１２は、印刷除外領域を白色とした場合のウェブページの構成を示す概念図である。図１２を参照して、指５８による再度のタッチがなされれば（Ｓ３０において、ＹＥＳ）、指定された中央領域を白色とする（Ｓ３１）。すなわち、編集受け付け部３２は、所定の操作としての再度の該当領域のタッチにより、指定された印刷除外領域を白色で印刷するよう編集する。
【００４０】
一方、指による再度のタッチがなければ（Ｓ３０において、ＮＯ）、指定された中央領域を白色とせず、例えば、背景色と同じ色とする（Ｓ３２）。このようにして、印刷対象特定部３３は、印刷対象を特定する（Ｓ３３）。そして、印刷制御部３４は、印刷を実行する（Ｓ３４）。すなわち、印刷制御部３４は、印刷対象特定部３３により特定された印刷対象に対して印刷部としての画像形成部１５による印刷を行うよう制御する。
【００４１】
このような印刷システム２４によると、携帯端末装置４１から送信されたＵＲＬデータおよび印刷対象ページのデータを印刷装置１１で受信し、印刷装置１１に備えられた表示画面２１に印刷対象ページを表示する。そして、印刷装置１１に備えられた表示画面２１上で印刷対象ページを編集して印刷対象を特定し、印刷することとしている。したがって、携帯端末装置４１で１ページずつ指定して印刷要求をする必要がなくなる。また、印刷対象ページを編集して、印刷したくない領域を指定して印刷対象を特定する際にも、印刷装置１１に備えられた表示画面２１を用いて編集することができる。したがって、このような印刷システム２４によれば、ユーザーの操作の煩雑さを解消することができ、かつ、容易にユーザーの要望する印刷を行うことができる。
【００４２】
この場合、編集受け付け部３２は、印刷除外領域を再びタッチして、白色となるように印刷を行っているため、バナー広告が配置されていた印刷除外領域の分だけ、トナーの節約を図ることができる。なお、バナー広告の領域に限られず、別のリンクが貼られた画像の領域であれば、同様に印刷除外領域として指定することができる。
【００４３】
また、この場合、編集受け付け部３２は、１ページ目のウェブページ５６ａにおいて、印刷除外領域を指定すると、他のページに対象領域があれば、その領域も印刷除外領域として指定する。したがって、ユーザーの操作を簡便化させて、ユーザーの利便性の向上を図ることができる。
【００４４】
また、この場合、携帯端末装置４１側において、タッチパネル４５は、ウェブページのページ番号を表示し、印刷対象ページ受け付け部４７は、タッチパネル４５に表示されたページ番号、すなわち、ページ番号データ５２に対するピンチ操作により入力可能な構成としている。したがって、より容易に印刷対象ページを入力することができる。
【００４５】
なお、上記の実施の形態において、再度の該当領域のタッチにより印刷除外領域を白色にすることとしたが、これに限らず、改めて印刷除外領域をどのようにして印刷するかを問い合わせることとしてもよい。
【００４６】
また、上記の実施の形態においては、他のページの印刷除外領域を指定する際に、表示画面２１上において問い合わせを行うようにしてもよい。
【００４７】
なお、上記の実施の形態においては、印刷対象ページ受け付け部４７は、ピンチ操作により入力可能な構成としたが、これに限らず、他の操作により入力可能な構成としてもよい。さらには、一つ一つ印刷対象ページを入力させるようにしてもよい。この場合も、１ページずつウェブページを開けて全てを指定して印刷の要求を行うよりも、操作が容易となり、ユーザーの利便性の向上を図ることができる。
【００４８】
なお、この発明に係る印刷装置１１は、以下のように構成してもよい。すなわち、印刷装置１１は、インターネットに接続可能な印刷装置である。印刷装置は、印刷部と、表示画面と、受信部と、インターネットにアクセスするための印刷装置ネットワークインターフェース部と、表示制御部と、印刷対象受け付け部と、印刷対象特定部と、印刷制御部とを備える。印刷部は、画像を形成して用紙に印刷する。表示画面は、印刷装置の情報を表示すると共に、入力のインターフェースとなる。受信部は、外部装置から送信されたインターネットにアクセスするＵＲＬデータおよび印刷の対象となるページである印刷対象ページのデータを受信する。表示制御部は、受信部により受信したＵＲＬデータおよび印刷対象ページのデータに基づいて印刷対象ページを表示画面に表示するよう制御する。編集受け付け部は、表示画面に表示された印刷対象ページから、ユーザーによる印刷対象の編集を受け付ける。印刷対象特定部は、編集受け付け部により受け付けられた印刷対象を特定する。印刷制御部は、印刷対象特定部により特定された印刷対象に対して印刷部による印刷を行うよう制御する。
【００４９】
今回開示された実施の形態はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００５０】
この発明に係る印刷システム、および印刷装置は、ユーザーの操作の煩雑さの解消、および容易なユーザーの操作性が要求される場合に、特に有効に利用される。
【符号の説明】
【００５１】
１１  印刷装置、１２  印刷装置制御部、１３  操作部、１４  画像読み取り部、１５  画像形成部、１６  給紙カセット、１７  ハードディスク、１８  印刷装置ネットワークインターフェース部、１９  印刷装置通信部、２１  表示画面、２２  ＡＤＦ、２３  インターネット、２４  印刷システム、２６  アーム、２７  テンキー、２８  機能選択キー、３１  表示制御部、３２  編集受け付け部、３３  印刷対象特定部、３４  印刷制御部、４１  携帯端末装置、４２  携帯端末装置制御部、４３  携帯端末装置ネットワークインターフェース部、４４  携帯端末装置記憶部、４５  タッチパネル、４６  携帯端末装置通信部、４７  印刷対象ページ受け付け部、５１，５６ａ，５６ｂ，５６ｃ  ウェブページ、５２  ページ番号データ、５３，５８  指、５４，５７ａ，５７ｂ  領域。
【図１】
2017217893.tif 000003
【図２】
2017217893.tif 000004
【図３】
2017217893.tif 000005
【図４】
2017217893.tif 000006
【図５】
2017217893.tif 000007
【図６】
2017217893.tif 000008
【図７】
2017217893.tif 000009
【図８】
2017217893.tif 000010
【図９】
2017217893.tif 000011
【図１０】
2017217893.tif 000012
【図１１】
2017217893.tif 000013
【図１２】
2017217893.tif 000014